(57)【要約】【課題】位置ズレを起すことがなく、尿漏れ防止効果が高く、雄雌両用で使える動物用おむつを提供する。【解決手段】動物の腹部に当てる腹当て部１と、臀部に当てる尻当て部２と、背中に当てる背当て部３と、腹当て部１の左右両縁から左右方向に延びた２本の固定用帯４，５とが一体につながったおむつ本体と、２本の固定用帯４，５における先端部の外面側に取付けられた外面止着ファスナー６，７と、２本の固定用帯４，５のいずれか一方における先端部の内面側に取付けられた内面止着ファスナー８と、背当て部３の先端部における内面側に取付けられた背当て止着ファスナー９とからなり、固定用帯４，５は、その後縁が動物の後足の付け根に当る幅を有している。装着した後は、固定用帯４，５の後縁が動物の後足の付け根に当るので、動物の歩行や座り動作が行われてもズレ落ちることはない。【選択図】図１
2014100117.tif 000002
【特許請求の範囲】
【請求項１】
動物の腹部に当てる腹当て部と、臀部に当てる尻当て部と、背中に当てる背当て部と、前記腹当て部の左右両縁から左右方向に延びた２本の固定用帯とが一体につながったおむつ本体と、
前記２本の固定用帯における先端部の外面側に取付けられた外面止着ファスナーと、
前記２本の固定用帯のいずれか一方における先端部の内面側に取付けられた内面止着ファスナーと、
前記背当て部の先端部における内面側に取付けられた背当て止着ファスナーとからなり、
前記固定用帯は、その後縁が動物の後足の付け根に当る幅を有している
ことを特徴とする動物用おむつ。
【請求項２】
前記尻当て部の左右両縁は後足の付け根に沿う形状であり、
前記背当て部は、その幅が、後足の付け根に当る幅を有している
ことを特徴とする請求項１記載の動物用おむつ。
【請求項３】
前記尻当て部の幅方向中央部には動物の尻尾を通す孔が形成されており、
前記尻当て部の孔は、下半分が半円形で、上半分が上縁に至るほど幅が狭くなる三角形とを合成した雨滴形である
ことを特徴とする請求項１または２記載の動物用おむつ。
【請求項４】
前記腹当て部の左右両縁には、ギャザーが形成されている
ことを特徴とする請求項１，２または３記載の動物用おむつ。
【請求項５】
前記腹当て部の前後両端には、取替え式の吸収体を収容保持するための前ポケットと後ポケットが形成されている
ことを特徴とする請求項１，２，３または４記載の動物用おむつ。
【発明の詳細な説明】
【技術分野】
【０００１】
本発明は、動物用おむつに関する。さらに詳しくは、ペットとして飼っている犬や猫等の四足動物用であり、雄雌兼用で使える動物用おむつに関する。
【背景技術】
【０００２】
特許文献１，２の動物用おむつは、腹当て部と背当て部が中間部（臀部に当てる部分）でつなげられており、腹当て部の左右両縁からは２本ずつ固定片（粘着テープ）が側方に突出しており、背当て部にも側方に突出する２本の被着テープを取付けたものである。固定片と被着テープは互いに係合させておむつを動物に装着するためのものである。
このおむつを犬に装着するには、腹部に腹当て部をあて、臀部に中間部をあて、背中に背当て部をあててから、腹当て部の４本の固定片（左右２本ずつ）を背当て部の２本の被着テープのそれぞれの端部に接着して係合させることによって行う。
【０００３】
しかるに、この装着作業ははなはだ面倒なものである。なぜなら、４本の固定片は重力で落下しようとするのに、これを妨ぎながら背中にまわして、被着テープに装着させなければならない。しかも、犬は動いたりあばれたりするので、人の有する２本の手では制御しがたい。よって、装着に大変な手間がかかり実用的ではなかった。
【０００４】
特許文献３の尿漏れ防止ベルトは、幅の広いベルト状のおむつを犬の胴に巻き付けて使用するものである。しかし、この従来技術では犬の胴が前から後に向うほど細くなっていることが考慮されていないので、犬が歩いたり座ったりすると後ろにズレてしまい、尿漏れ防止の役に立ちにくかった。
【０００５】
特許文献４の動物用紙おむつは、犬の腹部に当てるおむつ本体を胴に巻く紐と臀部に巻く２本の紐からなる計３本の紐を用いて、おむつ本体を装着するようにしたものである。
しかるに、この従来技術では細い紐を用いるので装着力が弱く、犬が動くと簡単におむつ本体が腹部からずれてしまうという欠点があった。
【先行技術文献】
【特許文献】
【０００６】
【特許文献１】特開２００７−１６７００７号公報
【特許文献２】特開２００６−２７１２１２号公報
【特許文献３】特開２００７−２０５３３号公報
【特許文献４】特開２０００−８３５０７号公報
【発明の概要】
【発明が解決しようとする課題】
【０００７】
本発明は上記事情に鑑み、動物が動いたり座ったりする日常の動作によって外れたり位置ズレを起すことがなく、しかも装着したときに圧迫感がない動物用おむつを提供することを目的とする。また、本発明は尿漏れ防止効果が高く、雄雌両用で使える動物用おむつを提供することを目的とする。
【課題を解決するための手段】
【０００８】
第１発明の動物用おむつは、動物の腹部に当てる腹当て部と、臀部に当てる尻当て部と、背中に当てる背当て部と、前記腹当て部の左右両縁から左右方向に延びた２本の固定用帯とが一体につながったおむつ本体と、前記２本の固定用帯における先端部の外面側に取付けられた外面止着ファスナーと、前記２本の固定用帯のいずれか一方における先端部の内面側に取付けられた内面止着ファスナーと、前記背当て部の先端部における内面側に取付けられた背当て止着ファスナーとからなり、前記固定用帯は、その後縁が動物の後足の付け根に当る幅を有していることを特徴とする。
第２発明の動物用おむつは、第１発明において、前記尻当て部の左右両縁は後足の付け根に沿う形状であり、前記背当て部は、その幅が、後足の付け根に当る幅を有していることを特徴とする。
第３発明の動物用おむつは、第１または第２発明において、前記尻当て部の幅方向中央部には動物の尻尾を通す孔が形成されており、前記尻当て部の孔は、下半分が半円形で、上半分が上縁に至るほど幅が狭くなる三角形とを合成した雨滴形であることを特徴とする。
第４発明の動物用おむつは、第１、第２または第３発明において、前記腹当て部の左右両縁には、ギャザーが形成されていることを特徴とする。
第５発明の動物用おむつは、第１、第２、第３または第４発明において、前記腹当て部の前後両端には、取替え式の吸収体を収容保持するための前ポケットと後ポケットが形成されていることを特徴とする。
【発明の効果】
【０００９】
第１発明はつぎの効果を奏する。
２本の固定用帯を動物の胴体に回して、先端部同士を重ねて内面止着ファスナーで互いに固定し、次に腹当て部を動物の腹部に当て尻当て部を臀部に当て、更に背当て部を背中に回してその先端部を固定用帯の上面に乗せ背当て止着ファスナーで止めると、本発明の動物用おむつを動物に装着できる。この装着方法は最初の固定用帯を止めておくと、他の部分は動物があばれても落下しないし、背当て部は１本のみであるので一動作で足りるので、容易に行える。また、装着した後は、固定用帯の後縁が動物の後足の付け根に当るので、動物の歩行や座り動作が行われてもズレ落ちることはない。
第２発明によれば、尻当て部も背当て部も、それらの左右両縁が後足の付け根に当るが、その動きを邪魔する形状や大きさではないので、装着したおむつをずり落ちないように保持できるので、尿漏れが生じない。また、動物の動きを拘束しないので、排尿も自然に行えるようになる。
第３発明によれば、尻当て部の中央の孔に尻尾を通すことによりおむつの胴廻り方向のズレ回りを防止できる。また、孔の形は上半分が細幅になりながらも長く延びているので尻尾を通しやすく、おむつの装着が容易にできる。
第４発明によれば、腹当て部の左右両縁が、ギャザーがあることによって装着時には立ち上るので、排尿した場合の尿が横に漏れ出すのを防止できる。
第５発明によれば、前ポケットに吸収体の一端を差し込めば、吸収部分が後寄りに位置するので雌用に使え、後ポケットに吸収体の一端を差し込めば、吸収部分が前寄りに位置するので雄用に使える。つまり、本発明のおむつは雄雌両用に使うことができる。
【図面の簡単な説明】
【００１０】
【図１】本発明の一実施形態に係る動物用おむつＡの内面側の展開図である。
【図２】図１の動物用おむつＡの外面側の展開図である。
【図３】前後のポケットを示す図１のIII-III線断面図である。
【図４】動物用おむつＡの装着時の形状を示す正面図である。
【図５】動物用おむつＡの装着時の形状を示す側面図である。
【図６】動物用おむつＡの装着方法の説明図である。
【図７】動物用おむつＡの装着方法の説明図である。
【図８】動物用おむつＡの装着時の側面図である。
【図９】動物用おむつＡの装着時の平面図である。
【図１０】動物用おむつＡの装着時の底面図である。
【図１１】動物用おむつＡの装着時の背面図である。
【発明を実施するための形態】
【００１１】
つぎに、本発明の実施形態を図面に基づき説明する。
本発明の動物用おむつは、四足動物ならどのような動物にも適用できる。また、動物の大きさには制約されず、どのような寸法、大きさのものも本発明に含まれる。
以下の実施形態では、犬用の動物用おむつ（以下、おむつという）を例にとって説明する。なお、以下の説明で、前後方向の用語はおむつを動物に着用した状態を基準として用いており、図１において、上方は前、下方は後である。また、左右は図１の左右方向に対応している。
【００１２】
本実施形態のおむつＡの基本構造を図１および図２に基づき説明する。
おむつＡは動物の腹部に当てる腹当て部１と、臀部に当てる尻当て部２と、背中に回す背当て部３と、前記腹当て部１の左右両縁から左右方向に延びた２本の固定用帯４，５とが一体につながったおむつ本体１０からなる。そして、２本の固定用帯４，５における先端部の外面側に取付けられた外面止着ファスナー６，７と、前記２本の固定用帯４，５のいずれか一方における先端部の内面側に取付けられた内面止着ファスナー８と、前記背当て部３の先端部における内面側に取付けられた背当て止着ファスナー９とを備えている。
【００１３】
おむつＡの全体的な形状はアルファベットのＴ字形であり、一枚の布素材を用い、その周縁を細い帯状布片１１でくるんで縫い止めている。
上記おむつＡの素材は、公知の布素材をとくに制限なく使用することができる。素材に伸縮性のあるものを用いると、装着時の圧迫感が少なくなるにも拘らずズレ落ちしにくくなる。すなわちフィット性が高くなるので好ましい。また、速乾性のある素材であれば、汗でじめつかず、洗濯後も早く乾くので好ましい。
【００１４】
おむつ本体１０も帯状布片１１も伸縮性を有する布素材を用いると、図１示す止着ファスナーのない部分は伸縮性を有し、フィット性を発揮することができる。なお、止着ファスナー６，７，８，９の存在する部分は止着ファスナーが非伸縮性のため伸びることはない。さらに、本発明では、帯状布片１１の二重にくるんだ内部に糸ゴム１２または伸縮性のあるテープ１２を内蔵させて、より伸縮性とフィット性を高めてもよい。図１では伸縮性を発揮する部分のみに糸ゴム１２を太線で表示している。
【００１５】
止着ファスナー６，７，８，９は多数の鍵状フックを植設した公知の面ファスナーである。各ファスナー６，７，８，９の大きさや形状は任意である。
【００１６】
つぎに、各部の詳細を説明する。
腹当て部１は、領域１ａ，１ｂで囲まれた長方形の部分で、動物の腹部と雄性器または雌性器に当る領域を有している。
腹当て部１の前縁１ｆは、緩やかに湾曲した形で突出しており、左右に伸ばすように張力を掛けると前縁１ｆの内側に垂みが生じ、腹当て部１の前方部分が下方に膨らむようになっている。
【００１７】
腹当て部１の左右両縁には、ギャザー１３が形成されている。ギャザー１３は、布素材をひだ状に縫い縮めたものである。腹当て部１の左右両縁はギャザー１３で縫い縮められているが、中央部は布が縮まっていないので、下方に垂れるようになり、後述する吸収体１８や雄性器を収容する空間を確保することができる。
【００１８】
腹当て部１の内面側であって前後両端には、取替え式の吸収体を収容保持するための前ポケット１４と後ポケット１５が形成されている。この前ポケット１４と後ポケット１５の詳細は後述する。
【００１９】
腹当て部１の前後方向における前方部分の左右両縁からは左右に固定用帯４，５が延びている。この固定用帯４，５の長さは動物の胴廻りに回したとき、互いの先端部同士が重複する長さでなければならない。そして、右側の固定用帯５の先端部内面には内面止着ファスナー８が取付けられている。なお、左側の固定用帯４の先端部内面に内面止着ファスナー８を取付けてもよい。要するに、左右の固定用帯４，５のいずれか一方に止着ファスナー８があればよい。
【００２０】
固定用帯４，５の幅は、その後縁４ａ，５ａが動物への装着時に後足の付け根に沿うだけの寸法を有している。
また、固定用帯４，５の後縁の形状、とくに腹当て部１に近い接続部分は湾曲した形になっていて、動物の後足の付け根に沿うものとなっている。
【００２１】
前記尻当て部２は、図１において領域２ａと領域１ｂで囲まれた部分であり、腹当て部１に続く四角形の部分となっている。また尻当て部２の左右両縁は後足の付け根に沿う形状である。
【００２２】
前記尻当て部２の幅方向中央部には尻尾を通す孔２０が形成されており、尻当て部２の孔２０は、下半分（下半分とは装着時に下になる部分で、図１では上半分が対応する）が半円形で、上半分（上半分とは装着時に上になる部分で、図１では下半分が対応する）が上縁に至るほど順に幅が狭くなる三角形とを合成した雨滴形である。
おむつＡを動物につけるとき、尾を孔２０に通さなければならないが、孔２０が上下に長いので尾を通しやすい。しかも通した後は尾との間の隙間は小さいので、尻当て部２が尾で支えられて、上下左右にズレることがない。
【００２３】
背当て部３は、領域３ａと領域１ｂとで囲まれた部分であり、台形に近い形状をしている。背当て部３の後端部分は尻当て部２より幅広くなっており、尻当て部２とは斜めに広がりつつ連続している。この背当て部３は、その幅が、後足の付け根に当る幅を有している。
背当て部３の後端部の内面には背当て止着ファスナー９が２カ所に分かれて取付けられている。このように２カ所に分かれていると間の布部分が伸びるので、フィット性が良くなる。なお、１枚の大形の止着ファスナーを用いたものであってもよい。
本実施形態の背当て部３は幅広の部材なので、支える力が強く、おむつ胴廻りにズレ動くことがない。また、１本物であるので、装着時の手間が一動作で足り装脱着が迅速に行える。
【００２４】
図２に示すように、左右の固定用帯４，５の先端部外面には、外面止着ファスナー６，７が取付けられている。この外面止着ファスナー６，７は、やや幅方向の長さが長いものであり、前記背当て部３の止着ファスナー９，９を止着するものである。また、左右の固定用帯４，５を動物の背において重ねたとき、一方の内面止着ファスナー８で互いに離れないように止めるものである。
【００２５】
図３に基づき、前記ポケット１４，１５を説明する。
図３（Ａ）に示すように、このポケット１４，１５はおむつ基材とは別の布１６で縫製したものであり、公知の吸収体１８の前端部や後端部を差し込んで保持するものである。なお、吸収体１８には、動物専用のものの外、人間用のものも使用できる。
上記のポケット１４，１５は差し込まれた吸収体１８の一端部を保持できることから、吸収体１８の長さはとくに制限なく使用することができる。つまり長い吸収体１８であっても、挿入側の端部を折り畳めば、使用することが可能である。
【００２６】
図３（Ｂ）は、前ポケット１４に吸収体１８の前端部を挟んで保持した状態を示している。この状態では、吸収体１８は後寄りに位置するので、雌動物の利用に適している。図３（Ｃ）は、後ポケット１５に吸収体１８の後端部を挟んで保持した状態を示している。この状態では、吸収体１８は前寄りに位置するので雄動物の利用に適することになる。
【００２７】
図４および図５は、装着状態のおむつＡの形状を示している。装着状態では、固定用帯４の先端上面に固定用帯５の先端下面が接しており止着ファスナー８で止められている。さらに動物の臀部を巻いて背中にもってきた背当て部３が、両固定用帯４，５の上面にのせられて止着ファスナー６，７上に止着ファスナー９，９が接触して止められている。
【００２８】
上記の装着状態で、腹当て部１は前縁１ｆの直ぐ後ろ部分が下方に膨らみ、かつ左右のギャザー１３の間が下方に膨らんでいるので、吸収体１８を収容する空間が確保できる。また、動物の雄性器を圧迫しすぎることもないので、動物に過度の緊張を与えることもない。
【００２９】
つぎにおむつＡの装着方法を、図６〜図８に基づき説明する。
（１）図６
まず、腹当て部１と固定用帯４，５を動物の胴廻りに巻きつける。
（２）図７
ついで、動物の尾を尻当て部２の孔２０に通す。
（３）図８
背当て部３を動物の背中に回して固定用帯４，５の上面に止着する。
【００３０】
この装着方法は最初の固定用帯４，５を止めておくと、他の部分は動物があばれても落下しないし、背当て部は１本のみであるので一動作で足りるので、容易に行える。
【００３１】
上記の手順で装着されたおむつＡは、図９（平面図）、図１０（底面図）および図１０（背面図）に示すように、胴体前部と２本の後足の付け根の間にはさまっており、後足の付け根によってズレないように保持されることになる。
【００３２】
つぎに、使用中の利点を説明する。
（１）装着した後は、固定用帯４，５の後縁が動物の後足の付け根に当るので、動物の歩行や座り動作が行われてもズレ落ちることはない。尻当て部２も背当て部３も、それらの左右両縁が後足の付け根に当るが、その動きを邪魔する形状や大きさではないので、装着したおむつをずり落ちないように保持すると共に動物の動きを拘束しないので、排尿も自然に行えるようになる。
【００３３】
（２）尻当て部２の中央の孔２０に尻尾を通すことによりおむつＡの胴廻り方向のズレ回りを防止できる。また、孔２０の形は上縁が細幅になりながらも長く延びているので尻尾を通しやすく、おむつＡの装着が容易にできる。
【００３４】
（３）腹当て部１の左右両縁のギャザー１３が装着時には立ち上るので、排尿した場合の尿が横に漏れ出すのを防止できる。
【００３５】
（４）前ポケット１４に吸収体１８の一端を差し込めば、吸収部分が後寄りに位置するので雌用に使え、後ポケット１５に吸収体１８の一端を差し込めば、吸収部分が前寄りに位置するので雄用に使える。つまり、本実施形態のおむつＡは雄雌両用に使うことができる。
【符号の説明】
【００３６】
１              腹当て部
２              尻当て部
３              背当て部
４，５          固定用帯
６，７，８，９  止着ファスナー
２０            孔
【図１】
2014100117.tif 000003
【図２】
2014100117.tif 000004
【図３】
2014100117.tif 000005
【図４】
2014100117.tif 000006
【図５】
2014100117.tif 000007
【図６】
2014100117.tif 000008
【図７】
2014100117.tif 000009
【図８】
2014100117.tif 000010
【図９】
2014100117.tif 000011
【図１０】
2014100117.tif 000012
【図１１】
2014100117.tif 000013
【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
動物の腹部に当てる腹当て部と、臀部に当てる尻当て部と、背中に当てる背当て部と、前記腹当て部の左右両縁から左右方向に延びた２本の固定用帯とが一体につながったおむつ本体と、
前記２本の固定用帯における先端部の外面側に取付けられた外面止着ファスナーと、
前記２本の固定用帯のいずれか一方における先端部の内面側に取付けられた内面止着ファスナーと、
前記背当て部の先端部における内面側に取付けられた背当て止着ファスナーとからなり、
前記おむつ本体は、伸縮性を有する布素材で製せられており、
前記腹立て部は、その前縁が湾曲した形で前方に突出しており、
前記２本の固定用帯は、動物の胴体に巻付けた状態で前記外面止着ファスナーに前記内面止着ファスナーを重ねうる長さを有しており、
前記固定用帯は、その後縁が動物の後足の付け根に当る幅を有している
ことを特徴とする動物用おむつ。
【請求項２】
前記尻当て部の左右両縁は後足の付け根に沿う形状であり、
前記背当て部は、その幅が、後足の付け根に当る幅を有している
ことを特徴とする請求項１記載の動物用おむつ。
【請求項３】
前記尻当て部の幅方向中央部には動物の尻尾を通す孔が形成されており、
前記尻当て部の孔は、下半分が半円形で、上半分が上縁に至るほど幅が狭くなる三角形とを合成した雨滴形である
ことを特徴とする請求項１または２記載の動物用おむつ。
【請求項４】
前記腹当て部の左右両縁には、ギャザーが形成されている
ことを特徴とする請求項１，２または３記載の動物用おむつ。
【請求項５】
前記腹当て部の前後両端には、取替え式の吸収体を収容保持するための前ポケットと後ポケットが形成されている
ことを特徴とする請求項１，２，３または４記載の動物用おむつ。
【手続補正２】
【補正対象書類名】明細書
【補正対象項目名】０００８
【補正方法】変更
【補正の内容】
【０００８】
第１発明の動物用おむつは、  動物の腹部に当てる腹当て部と、臀部に当てる尻当て部と、背中に当てる背当て部と、前記腹当て部の左右両縁から左右方向に延びた２本の固定用帯とが一体につながったおむつ本体と、前記２本の固定用帯における先端部の外面側に取付けられた外面止着ファスナーと、前記２本の固定用帯のいずれか一方における先端部の内面側に取付けられた内面止着ファスナーと、前記背当て部の先端部における内面側に取付けられた背当て止着ファスナーとからなり、前記おむつ本体は、伸縮性を有する布素材で製せられており、前記腹立て部は、その前縁が湾曲した形で前方に突出しており、前記２本の固定用帯は、動物の胴体に巻付けた状態で前記外面止着ファスナーに前記内面止着ファスナーを重ねうる長さを有しており、前記固定用帯は、その後縁が動物の後足の付け根に当る幅を有していることを特徴とする。
第２発明の動物用おむつは、第１発明において、前記尻当て部の左右両縁は後足の付け根に沿う形状であり、前記背当て部は、その幅が、後足の付け根に当る幅を有していることを特徴とする。
第３発明の動物用おむつは、第１または第２発明において、前記尻当て部の幅方向中央部には動物の尻尾を通す孔が形成されており、前記尻当て部の孔は、下半分が半円形で、上半分が上縁に至るほど幅が狭くなる三角形とを合成した雨滴形であることを特徴とする。
第４発明の動物用おむつは、第１、第２または第３発明において、前記腹当て部の左右両縁には、ギャザーが形成されていることを特徴とする。
第５発明の動物用おむつは、第１、第２、第３または第４発明において、前記腹当て部の前後両端には、取替え式の吸収体を収容保持するための前ポケットと後ポケットが形成されていることを特徴とする。
【手続補正３】
【補正対象書類名】明細書
【補正対象項目名】０００９
【補正方法】変更
【補正の内容】
【０００９】
第１発明はつぎの効果を奏する。
ａ）２本の固定用帯は動物の胴体に巻付ける長さなので、これを胴体に回して、先端部同士を重ねて内面止着ファスナーで互いに固定し、次に腹当て部を動物の腹部に当て尻当て部を臀部に当て、更に背当て部を背中に回してその先端部を固定用帯の上面に乗せ背当て止着ファスナーで止めると、本発明の動物用おむつを動物に装着できる。この装着方法は最初の固定用帯を止めておくと、他の部分は動物があばれても落下しないし、背当て部は１本のみであるので一動作で足りるので、容易に行える。
ｂ）装着した後は、固定用帯の後縁が動物の後足の付け根に当るので、動物の歩行や座り動作が行われてもズレ落ちることはない。
ｃ）おむつ本体の布素材は伸縮性を有するので、動物への装着時に左右方向に伸ばして張力をかけると、腹当て部前縁の内側に垂みが生じ腹立て部の前方部分が下方に膨らむ。このため、吸収体１８を収容する空間が確保できる。また、動物の雄性器を圧迫しすぎることもないので、動物に過度の緊張を与えることもない。
第２発明によれば、尻当て部も背当て部も、それらの左右両縁が後足の付け根に当るが、その動きを邪魔する形状や大きさではないので、装着したおむつをずり落ちないように保持できるので、尿漏れが生じない。また、動物の動きを拘束しないので、排尿も自然に行えるようになる。
第３発明によれば、尻当て部の中央の孔に尻尾を通すことによりおむつの胴廻り方向のズレ回りを防止できる。また、孔の形は上半分が細幅になりながらも長く延びているので尻尾を通しやすく、おむつの装着が容易にできる。
第４発明によれば、腹当て部の左右両縁が、ギャザーがあることによって装着時には立ち上るので、排尿した場合の尿が横に漏れ出すのを防止できる。
第５発明によれば、前ポケットに吸収体の一端を差し込めば、吸収部分が後寄りに位置するので雌用に使え、後ポケットに吸収体の一端を差し込めば、吸収部分が前寄りに位置するので雄用に使える。つまり、本発明のおむつは雄雌両用に使うことができる。
【手続補正４】
【補正対象書類名】明細書
【補正対象項目名】００１３
【補正方法】変更
【補正の内容】
【００１３】
おむつＡの全体的な形状はアルファベットのＴ字形であり、一枚の布素材を用い、その周縁を細い帯状布片１１でくるんで縫い止めている。
上記おむつＡの素材は、伸縮性のあるものを用いると、装着時の圧迫感が少なくなるにも拘らずズレ落ちしにくくなる。すなわちフィット性が高くなるので好ましい。また、速乾性のある素材であれば、汗でじめつかず、洗濯後も早く乾くので好ましい。